【手続補正書】
【提出日】平成27年4月17日(2015.4.17)
【手続補正１】
【補正対象書類名】特許請求の範囲
【補正対象項目名】全文
【補正方法】変更
【補正の内容】
【特許請求の範囲】
【請求項１】
自律神経の状態を示す生体状態画像を生成する画像生成装置であって、
生体情報に基づく交感神経及び副交感神経の優位度、並びに、自律神経の活動強度を取得する情報取得部と、
基準点に対する一端側に交感神経の優位度が設定され、かつ、他端側に副交感神経の優位度が設定された第１軸に沿い、かつ、取得された前記交感神経及び副交感神経の優位度に応じた位置に、取得された前記自律神経の活動強度に応じた大きさの図形が設定された前記生体状態画像を生成する画像生成部と、を備える
ことを特徴とする画像生成装置。
【請求項２】
請求項１に記載の画像生成装置において、
前記画像生成部は、前記交感神経及び副交感神経の優位度、並びに、前記自律神経の活動強度が取得されると、前記図形を前記第１軸に沿って設定し、当該図形において他の前記図形と重なる部位の色を、重ならない部位の色より濃くした前記生体状態画像を生成する
ことを特徴とする画像生成装置。
【請求項３】
請求項１に記載の画像生成装置において、
前記画像生成部は、前記交感神経及び副交感神経の優位度、並びに、前記自律神経の活動強度が取得されると、前記第１軸に沿い、取得された前記交感神経及び副交感神経の優位度に応じた位置で、かつ、当該第１軸に交差し、時間が設定された第２軸に沿い、当該優位度及び活動強度が取得された時刻に応じた位置に、取得された前記活動強度に応じた大きさの前記図形が設定された前記生体状態画像を生成する
ことを特徴とする画像生成装置。
【請求項４】
請求項１に記載の画像生成装置において、
前記画像生成部は、前記生体状態画像として、
前記交感神経及び副交感神経の優位度、並びに、前記自律神経の活動強度が取得されると、前記第１軸に沿って前記図形をそれぞれ設定し、各前記図形において他の前記図形と重なる部位の色を、重ならない部位の色より濃くした第１画像と、
前記交感神経及び副交感神経の優位度、並びに、前記自律神経の活動強度が取得されると、前記第１軸に沿い、取得された前記交感神経及び副交感神経の優位度に応じた位置で、かつ、当該第１軸に交差し、時間が設定された第２軸に沿い、当該優位度及び活動強度が取得された時刻に応じた位置に、取得された前記活動強度に応じた大きさの前記図形を設定した第２画像とを生成する
ことを特徴とする画像生成装置。
【請求項５】
請求項１から請求項３のいずれかに記載の画像生成装置と、
前記生体状態画像を表示する表示装置と、を備えることを特徴とする画像表示装置。
【請求項６】
請求項４に記載の画像生成装置と、
表示装置と、
前記画像生成装置によって生成された前記生体状態画像を前記表示装置に表示させる表示制御装置と、を備え、
前記表示制御装置は、生成された前記第１画像及び前記第２画像のうち、前記表示装置に表示させる画像を操作に応じて切り替えることを特徴とする画像表示装置。
【請求項７】
自律神経の状態を示す生体状態画像を生成する画像生成方法であって、
生体情報に基づく交感神経及び副交感神経の優位度、並びに、自律神経の活動強度を取得する取得ステップと、
基準点に対する一端側に交感神経の優位度が設定され、かつ、他端側に副交感神経の優位度が設定された第１軸に沿い、かつ、取得された前記交感神経及び副交感神経の優位度に応じた位置に、取得された前記自律神経の活動強度に応じた大きさの図形が設定された前記生体状態画像を生成する生成ステップと、を含む
ことを特徴とする画像生成方法。
【請求項８】
請求項７に記載の画像生成方法において、
前記生成ステップでは、前記取得ステップにて前記交感神経及び副交感神経の優位度、並びに、前記自律神経の活動強度が取得されると、前記図形を前記第１軸に沿って設定し、当該図形において他の前記図形と重なる部位の色を、重ならない部位の色より濃くした前記生体状態画像を生成する
ことを特徴とする画像生成方法。
【請求項９】
請求項７に記載の画像生成方法において、
前記生成ステップでは、前記取得ステップにて前記交感神経及び副交感神経の優位度、並びに、前記自律神経の活動強度が取得されると、前記第１軸に沿い、取得された前記交感神経及び副交感神経の優位度に応じた位置で、かつ、当該第１軸に交差し、時間が設定された第２軸に沿い、当該優位度及び活動強度が取得された時刻に応じた位置に、取得された前記活動強度に応じた大きさの前記図形が設定された前記生体状態画像を生成する
ことを特徴とする画像生成方法。
【請求項１０】
請求項７に記載の画像生成方法において、
前記生成ステップでは、
前記交感神経及び副交感神経の優位度、並びに、前記自律神経の活動強度が取得されると、前記第１軸に沿って前記図形をそれぞれ設定し、各前記図形において他の前記図形と重なる部位の色を、重ならない部位の色より濃くした、前記生体状態画像としての第１画像と、
前記交感神経及び副交感神経の優位度、並びに、前記自律神経の活動強度が取得されると、前記第１軸に沿い、取得された前記交感神経及び副交感神経の優位度に応じた位置で、かつ、当該第１軸に交差し、時間が設定された第２軸に沿い、当該優位度及び活動強度が取得された時刻に応じた位置に、取得された前記活動強度に応じた大きさの前記図形を設定した、前記生体状態画像としての第２画像と、を生成する
ことを特徴とする画像生成方法。
【請求項１１】
自律神経の状態を示す生体状態画像を表示する表示制御方法であって、
請求項１０に記載の画像生成方法により生成された前記第１画像及び前記第２画像のうち、操作に応じた画像を表示する表示ステップを含む
ことを特徴とする表示制御方法。
【請求項１２】
自律神経の状態を示す生体状態画像を生成する画像生成装置により実行され、前記生体状態画像を生成させる画像生成プログラムであって、
前記画像生成装置に、
生体情報に基づく交感神経及び副交感神経の優位度、並びに、自律神経の活動強度を取得する取得ステップと、
基準点に対する一端側に交感神経の優位度が設定され、かつ、他端側に副交感神経の優位度が設定された第１軸に沿い、かつ、取得された前記交感神経及び副交感神経の優位度に応じた位置に、取得された前記自律神経の活動強度に応じた大きさの図形が設定された前記生体状態画像を生成する生成ステップと、を実行させる
ことを特徴とする画像生成プログラム。
【請求項１３】
請求項１２に記載の画像生成プログラムにおいて、
前記生成ステップでは、前記取得ステップにて前記交感神経及び副交感神経の優位度、並びに、前記自律神経の活動強度が取得されると、前記図形を前記第１軸に沿って設定し、当該図形において他の前記図形と重なる部位の色を、重ならない部位の色より濃くした前記生体状態画像を生成する
ことを特徴とする画像生成プログラム。
【請求項１４】
請求項１２に記載の画像生成プログラムにおいて、
前記生成ステップでは、前記取得ステップにて前記交感神経及び副交感神経の優位度、並びに、前記自律神経の活動強度が取得されると、前記第１軸に沿い、取得された前記交感神経及び副交感神経の優位度に応じた位置で、かつ、当該第１軸に交差し、時間が設定された第２軸に沿い、当該優位度及び活動強度が取得された時刻に応じた位置に、取得された前記活動強度に応じた大きさの前記図形が設定された前記生体状態画像を生成する
ことを特徴とする画像生成プログラム。
【請求項１５】
請求項１２に記載の画像生成プログラムにおいて、
前記生成ステップでは、
前記交感神経及び副交感神経の優位度、並びに、前記自律神経の活動強度が取得されると、前記第１軸に沿って前記図形をそれぞれ設定し、各前記図形において他の前記図形と重なる部位の色を、重ならない部位の色より濃くした、前記生体状態画像としての第１画像と、
前記交感神経及び副交感神経の優位度、並びに、前記自律神経の活動強度が取得されると、前記第１軸に沿い、取得された前記交感神経及び副交感神経の優位度に応じた位置で、かつ、当該第１軸に交差し、時間が設定された第２軸に沿い、当該優位度及び活動強度が取得された時刻に応じた位置に、取得された前記活動強度に応じた大きさの前記図形を設定した、前記生体状態画像としての第２画像と、を生成する
ことを特徴とする画像生成プログラム。
【請求項１６】
自律神経の状態を示す生体状態画像を表示する画像表示装置により実行され、前記生体状態画像を表示させる表示制御プログラムであって、
前記画像表示装置に、
請求項１５に記載の画像生成プログラムが実行されることにより生成された前記第１画像及び前記第２画像のうち、操作に応じた画像を表示する表示ステップを実行させる
ことを特徴とする表示制御プログラム。
【手続補正２】
【補正対象書類名】明細書
【補正対象項目名】発明の名称
【補正方法】変更
【補正の内容】
【発明の名称】画像生成装置、画像表示装置、画像生成方法、表示制御方法、画像生成プログラム及び表示制御プログラム
【手続補正３】
【補正対象書類名】明細書
【補正対象項目名】０００１
【補正方法】変更
【補正の内容】
【０００１】
本発明は、画像生成装置、画像表示装置、画像生成方法、表示制御方法、画像生成プログラム及び表示制御プログラムに関する。
【手続補正４】
【補正対象書類名】明細書
【補正対象項目名】０００６
【補正方法】変更
【補正の内容】
【０００６】
本発明の目的は、自律神経の状態を把握しやすくすることができる画像生成装置、画像表示装置、画像生成方法、表示制御方法、画像生成プログラム及び表示制御プログラムを提供することである。